【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
少なくとも１つの基地局を含むセルから通信を受信することができるユーザ装備（ＵＥ）であって、
前記ユーザ装備は、
基地局から、ダウンリンクデータをスケジューリングするダウンリンク制御情報を、物理的ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）上に受信し、前記ダウンリンクデータを物理的ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）上に受信するように構成された受信機と、
前記基地局に、前記ダウンリンクデータに関するハイブリッド自動繰り返し及び要請応答（ｈｙｂｒｉｄ  ａｕｔｏｍａｔｉｃ  ｒｅｐｅａｔ  ａｎｄ  ｒｅｑｕｅｓｔ  ａｃｋｎｏｗｌｅｄｇｅ，ＨＡＲＱ−ＡＣＫ）情報を、物理的アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）上に送信するように構成された送信機と、を含み、
前記ＰＵＣＣＨ資源は、資源オフセット媒介変数に基づいて決定され、
ＵＥ特定資源オフセットが前記ＵＥに設定された場合、前記資源オフセット媒介変数はＵＥ特定であり、設定されなかった場合、前記資源オフセット媒介変数はセル特定である、ユーザ装備。
【請求項２】
前記ＵＥ特定資源オフセット媒介変数は、無線資源制御（ｒａｄｉｏ  ｒｅｓｏｕｒｃｅ  ｃｏｎｔｒｏｌ，ＲＲＣ）シグナリングによって受信される、請求項１に記載のユーザ装備。
【請求項３】
前記送信機は、さらに、前記基地局に、前記ＨＡＲＱ−ＡＣＫ情報を、ＰＵＣＣＨ基準信号（ｒｅｆｅｒｅｎｃｅ  ｓｉｇｎａｌ，ＲＳ）とともに送信するように構成された、請求項１に記載のユーザ装備。
【請求項４】
前記ＰＵＣＣＨ  ＲＳは、シーケンスシフトパターンに基づいて生成される、請求項３に記載のユーザ装備。
【請求項５】
ＵＥ特定ＲＳベースシーケンス媒介変数が前記ＵＥに設定された場合、前記シーケンスシフトパターンは、前記ＵＥ特定ＲＳベースシーケンス媒介変数に基づいており、設定されなかった場合、前記シーケンスシフトパターンはセル識別情報に基づく、請求項４に記載のユーザ装備。
【請求項６】
前記受信機は、さらに、前記ＵＥ特定資源オフセット媒介変数を含むＰＵＣＣＨ構成情報を受信するように構成された、請求項１に記載のユーザ装備。
【請求項７】
少なくとも１つの基地局を含む複数のセルを含む無線通信ネットワークに使用するための、複数のユーザ装備と無線通信することができる基地局のうち各々の基地局であって、
前記基地局は、
ユーザ装備（ｕｓｅｒ  ｅｑｕｉｐｍｅｎｔ，ＵＥ）に、ダウンリンクデータをスケジューリングするダウンリンク制御情報を、物理的ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）上に送信し、前記ダウンリンクデータを物理的ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）上に送信するように構成された送信機と、
前記ＵＥから、前記ダウンリンクデータに関するハイブリッド自動繰り返し及び要請応答（ｈｙｂｒｉｄ  ａｕｔｏｍａｔｉｃ  ｒｅｐｅａｔ  ａｎｄ  ｒｅｑｕｅｓｔ  ａｃｋｎｏｗｌｅｄｇｅ，ＨＡＲＱ−ＡＣＫ）情報を、物理的アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）上に受信するように構成された受信機と、を含み、
前記ＰＵＣＣＨ資源は、資源オフセット媒介変数に基づいて決定され、
ＵＥ特定資源オフセットが前記ＵＥに設定された場合、前記資源オフセット媒介変数はＵＥ特定であり、設定されなかった場合、前記資源オフセット媒介変数はセル特定である、基地局。
【請求項８】
前記ＵＥ特定資源オフセット媒介変数は、無線資源制御（ｒａｄｉｏ  ｒｅｓｏｕｒｃｅ  ｃｏｎｔｒｏｌ，ＲＲＣ）シグナリングによって送信される、請求項７に記載の基地局。
【請求項９】
前記受信機は、さらに、前記ＵＥから、前記ＨＡＲＱ−ＡＣＫ情報を、ＰＵＣＣＨ基準信号（ｒｅｆｅｒｅｎｃｅ  ｓｉｇｎａｌ，ＲＳ）とともに受信するように構成された、請求項７に記載の基地局。
【請求項１０】
前記ＰＵＣＣＨ  ＲＳは、シーケンスシフトパターンに基づいて生成される、請求項９に記載の基地局。
【請求項１１】
ＵＥ特定ＲＳベースシーケンス媒介変数が前記ＵＥに設定された場合、前記シーケンスシフトパターンは、前記ＵＥ特定ＲＳベースシーケンス媒介変数に基づいており、設定されなかった場合、前記シーケンスシフトパターンはセル識別情報に基づく、請求項１０に記載の基地局。
【請求項１２】
前記送信機は、さらに、前記ＵＥ特定資源オフセット媒介変数を含むＰＵＣＣＨ構成情報を送信するように構成された、請求項７に記載の基地局。
【請求項１３】
無線通信ネットワークに使うための干渉緩和方法であって、
前記方法は、
基地局から、ダウンリンクデータをスケジューリングするダウンリンク制御情報を、物理的ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）上に受信する段階と、
前記基地局から、前記ダウンリンクデータを物理的ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）上に受信する段階と、
前記基地局に、前記ダウンリンクデータに関するハイブリッド自動繰り返し及び要請応答（ｈｙｂｒｉｄ  ａｕｔｏｍａｔｉｃ  ｒｅｐｅａｔ  ａｎｄ  ｒｅｑｕｅｓｔ  ａｃｋｎｏｗｌｅｄｇｅ，ＨＡＲＱ−ＡＣＫ）情報を、物理的アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）上に送信する段階と、を含み、
前記ＰＵＣＣＨ資源は、資源オフセット媒介変数に基づいて決定され、
ＵＥ特定資源オフセットが前記ＵＥに設定された場合、前記資源オフセット媒介変数はＵＥ特定であり、設定されなかった場合、前記資源オフセット媒介変数はセル特定である、干渉緩和方法。
【請求項１４】
前記ＵＥ特定資源オフセット媒介変数は、無線資源制御（ｒａｄｉｏ  ｒｅｓｏｕｒｃｅ  ｃｏｎｔｒｏｌ，ＲＲＣ）シグナリングによって受信される、請求項１３に記載の干渉緩和方法。
【請求項１５】
前記ＨＡＲＱ−ＡＣＫ情報を受信する段階は、前記基地局に、前記ＨＡＲＱ−ＡＣＫ情報をＰＵＣＣＨ基準信号（ｒｅｆｅｒｅｎｃｅ  ｓｉｇｎａｌ，ＲＳ）とともに送信する段階を含む、請求項１３に記載の干渉緩和方法。
【請求項１６】
前記ＰＵＣＣＨ  ＲＳは、シーケンスシフトパターンに基づいて生成される、請求項１５に記載の干渉緩和方法。
【請求項１７】
ＵＥ特定ＲＳベースシーケンス媒介変数が前記ＵＥに設定された場合、前記シーケンスシフトパターンは、前記ＵＥ特定ＲＳベースシーケンス媒介変数に基づいており、設定されなかった場合、前記シーケンスシフトパターンはセル識別情報に基づく、請求項１６に記載の干渉緩和方法。
【請求項１８】
前記ＵＥ特定資源オフセット媒介変数を含むＰＵＣＣＨ構成情報を受信する段階をさらに含む、請求項１３に記載の干渉緩和方法。
【請求項１９】
少なくとも１つの基地局を含む複数のセルを含む無線通信ネットワークに使用するための方法であって、基地局のうち各々の基地局は複数のユーザ装備と無線通信することができ、
前記方法は、
ユーザ装備（ｕｓｅｒ  ｅｑｕｉｐｍｅｎｔ，ＵＥ）に、ダウンリンクデータをスケジューリングするダウンリンク制御情報を、物理的ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）上に送信する段階と、
前記ＵＥに、前記ダウンリンクデータを物理的ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）上に送信する段階と、
前記ＵＥから、前記ダウンリンクデータに関するハイブリッド自動繰り返し及び要請応答（ｈｙｂｒｉｄ  ａｕｔｏｍａｔｉｃ  ｒｅｐｅａｔ  ａｎｄ  ｒｅｑｕｅｓｔ  ａｃｋｎｏｗｌｅｄｇｅ，ＨＡＲＱ−ＡＣＫ）情報を、物理的アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）上に受信する段階と、を含み、
前記ＰＵＣＣＨ資源は、資源オフセット媒介変数に基づいて決定され、
ＵＥ特定資源オフセットが前記ＵＥに設定された場合、前記資源オフセット媒介変数はＵＥ特定であり、設定されなかった場合、前記資源オフセット媒介変数はセル特定である、無線通信ネットワークに使うための方法。
【請求項２０】
前記ＵＥ特定資源オフセット媒介変数は、無線資源制御（ｒａｄｉｏ  ｒｅｓｏｕｒｃｅ  ｃｏｎｔｒｏｌ，ＲＲＣ）シグナリングによって送信される、請求項１９に記載の無線通信ネットワークに使うための方法。
【請求項２１】
前記ＨＡＲＱ−ＡＣＫ情報を受信する段階は、前記ＵＥから、前記ＨＡＲＱ−ＡＣＫ情報をＰＵＣＣＨ基準信号（ｒｅｆｅｒｅｎｃｅ  ｓｉｇｎａｌ，ＲＳ）とともに受信する段階を含む、請求項１９に記載の無線通信ネットワークに使うための方法。
【請求項２２】
前記ＰＵＣＣＨ  ＲＳは、シーケンスシフトパターンに基づいて生成される、請求項１９に記載の無線通信ネットワークに使うための方法。
【請求項２３】
ＵＥ特定ＲＳベースシーケンス媒介変数が前記ＵＥに設定された場合、前記シーケンスシフトパターンは、前記ＵＥ特定ＲＳベースシーケンス媒介変数に基づいており、設定されなかった場合、前記シーケンスシフトパターンはセル識別情報に基づく、請求項２２に記載の無線通信ネットワークに使うための方法。
【請求項２４】
前記ＵＥ特定資源オフセット媒介変数を含むＰＵＣＣＨ構成情報を送信する段階をさらに含む、請求項１９に記載の無線通信ネットワークに使うための方法。